(57)【要約】【課題】開口の寸法を大きく確保でき、且つ、載荷重に対する強度が大きい梱包ケースを提供する。【解決手段】梱包ケース１は、段ボール板紙から形成される箱体２を有する。箱体２は、底壁４と、底壁４に対向する第１，２頂壁９，１０と、底壁４の周縁から第１，２頂壁９，１０の周縁に達して、相対向する一対の第１，２側壁５，６とを備える。箱体２には、開口３が形成される。開口３の外縁は、第１，２側壁５，６の上端辺４２，４３の中間部分４２ｃ，４３ｃからなる第１，２辺と、第１，２頂壁９，１０の端辺４６，４７からなる第３，４辺からなる。第１，２側壁５，６における開口３の第１，２辺に沿う範囲では、第１，２重合片１１，１２が接着されることで、段ボール板紙が複数重ね合わされる。【選択図】図１
2011251738.tif 000002
【特許請求の範囲】
【請求項１】
段ボール板紙から形成される、底壁と、該底壁に対向する頂壁と、前記底壁の周縁から前記頂壁の周縁に達する側壁とを備え、
前記側壁のうち相対向する一対の側壁の端、及び前記頂壁の端を外縁とする開口が形成され、
前記一対の側壁は、前記開口の外縁に沿う範囲において、前記段ボール板紙が複数重ね合わされる、
ことを特徴とする梱包ケース。
【請求項２】
前記底壁は、長方形を呈し、
前記一対の側壁は、前記底壁の長辺から立設される第１，２側壁であることを特徴とする請求項１に記載の梱包ケース。
【請求項３】
前記頂壁は、前記第１，２側壁の上端辺における一方側部分に連設されて、前記底壁の一方側範囲と相対向する第１頂壁と、前記第１，２側壁の上端辺における他方側部分に連設されて、前記底壁の他方側範囲と相対向する第２頂壁と、から構成され、
前記開口の外縁は、前記第１側壁の上端辺における前記一方側部分と前記他方側部分との間の中間部分により構成される第１辺と、前記第２側壁の上端辺における前記一方側部分と前記他方側部分との間の中間部分により構成される第２辺と、前記第１，２側壁の上端辺における中間部分の一方端同士の間を延びる前記第１頂壁の端辺より構成される第３辺と、前記第１，２側壁の上端辺における中間部分の他方端同士の間を延びる前記第２頂壁の端辺により構成される第４辺と、から構成され、
前記第１，２側壁は、それぞれ前記第１，２辺に沿う範囲において、前記段ボール板紙が複数重ね合わされることを特徴とする請求項２に記載の梱包ケース。
【請求項４】
前記第１，２側壁における前記上端辺の中間部分には、それぞれ第１，２重合片が連設され、
前記第１重合片が、前記第１側壁における前記上端辺の中間部分を折目として折り曲げられ、且つ、前記第２重合片が、前記第２側壁における前記上端辺の中間部分を折目として折り曲げられることで、前記開口が形成され、
前記折り曲げられた第１，２重合片が、それぞれ前記第１，２側壁に接着されることで、前記第１，２側壁は、前記第１，２辺に沿う範囲において、前記段ボール板紙が２層重ね合わされることを特徴とする請求項３に記載の梱包ケース。
【請求項５】
前記一対の側壁に構成される前記開口の外縁は、前記一対の側壁の面に垂直な断面が略円弧状を呈することを特徴とする請求項１乃至４のいずれか１項に記載の梱包ケース。
【請求項６】
段ボール板紙から構成されて、前記箱体と一体に設けられて、前記箱体の外側に延びる吊り下げ板をさらに有することを特徴とする請求項１乃至５のいずれか１項に記載の梱包ケース。
【請求項７】
前記頂壁は、前記開口の外縁に沿う範囲において、前記段ボール板紙が複数重ね合わされることを特徴とする請求項１乃至６のいずれか１項に記載の梱包ケース。
【発明の詳細な説明】
【技術分野】
【０００１】
本発明は、段ボール板紙から形成される梱包ケースに関する。
【背景技術】
【０００２】
直管型蛍光灯等の長尺物を梱包するケースとして、ＰＥＴ（Polyethylene Terephthalate）から形成されたケース（以下、ＰＥＴケース）が使用される。ＰＥＴは透明な材料であるため、ＰＥＴケースは外部から内容物を視認できる。このため、ＰＥＴケースは、内容物を運搬したり保管する目的の他、内容物を展示するためにも使用される。
【０００３】
また、食品や化粧品等を梱包するケースとして、段ボール板紙から組み立てられるケース（以下、段ボールケース）が使用される。段ボール板紙はＰＥＴのように透明ではないため、段ボール板紙に覆われた内容物の範囲は、外部から視認できない。
【０００４】
特許文献１，２には、開口を設けて内容物を視認可能とすることで、内容物の展示に使用される段ボールケースが開示される。これら段ボールケースは、直方体形状を呈して、その頂面に開口を有する。開口は、頂面を構成する段ボール板紙の中央が、くり抜かれることで形成される。
【先行技術文献】
【特許文献】
【０００５】
【特許文献１】特開平８−８５５６８号公報
【特許文献２】特開平１１−１７１１７１号公報
【発明の概要】
【発明が解決しようとする課題】
【０００６】
ＰＥＴケースは、載荷重に対する強度が小さい。このため、ＰＥＴケースを積み上げて、直管型蛍光灯を輸送したり保管した場合、ＰＥＴケースに変形が生じ、直管型蛍光灯が破損する問題が生じていた。また、この問題を解決するために、ケース壁面と内容物との間の隙間を大きく確保することが考えられる。しかしながら、この対応を行った場合には、ＰＥＴケースの容積が増加することで、車両に搭載できるＰＥＴケースの数が少なくなる。このため、車両による輸送頻度が多くなって、ＣＯ２の排出量が増加する問題が生じ得る。
【０００７】
また特許文献１，２では、開口の全周囲に、頂面を構成する段ボール板紙が設けられるため、段ボールケースの幅が小さい場合、開口の寸法を大きく確保することが困難である。また、これを解決すべく、開口周囲の段ボール板紙を省略するだけの対応を行った場合、段ボールケースは、強度が低下して、変形を生じやすくなる。
【０００８】
本発明は、こうした状況に鑑みてなされたものであり、段ボール板紙から形成される梱包ケースであって、開口の寸法を大きく確保でき、且つ、載荷重に対する強度が大きい梱包ケースを提供することを目的とする。
【課題を解決するための手段】
【０００９】
上記目的を達成するため、本発明にかかる梱包ケースは、段ボール板紙から形成される、底壁と、該底壁に対向する頂壁と、前記底壁の周縁から前記頂壁の周縁に達する側壁とを備え、
前記側壁のうち相対向する一対の側壁の端、及び前記頂壁の端を外縁とする開口が形成され、
前記一対の側壁は、前記開口の外縁に沿う範囲において、前記段ボール板紙が複数重ね合わされる、
ことを特徴とする。
【発明の効果】
【００１０】
本発明によれば、開口が、相対向する一対の側壁の端、及び頂壁の端を外縁として形成されることで、一対の側壁が相対向する方向では、開口の外側に、段ボール板紙が存在しない。このため、箱体の幅が狭い場合でも、開口寸法を大きく確保できる。また、一対の側壁は、開口外縁に沿う範囲に段ボール板紙が複数重ね合わされることで、剛性が高められる。このため、一対の側壁が上下方向に延びるように梱包ケースが設置された場合、梱包ケースは、載荷重に対する強度が大きい。
【図面の簡単な説明】
【００１１】
【図１】本発明の実施の形態１にかかる梱包ケースを示す斜視図である。
【図２】実施の形態１の梱包ケースを構成する段ボール板紙の展開図である。
【図３】実施の形態１の梱包ケースを組み立てる手順を示す平面図である。
【図４】実施の形態１の梱包ケースを組み立てる手順を示す断面図である。
【図５】折目線が形成された部分を示す断面図である。
【図６】本発明の実施の形態２にかかる梱包ケースを示す斜視図である。
【図７】実施の形態２の梱包ケースを構成する段ボール板紙の展開図である。
【図８】本発明の実施の形態３にかかる梱包ケース１を示す斜視図である。
【図９】実施の形態３の梱包ケースを構成する段ボール板紙の展開図である。
【図１０】実施の形態３の梱包ケースを組み立てる手順を示す平面図である。
【図１１】本発明の変形例を示す斜視図である。
【図１２】本発明の変形例を示す斜視図である。
【発明を実施するための形態】
【００１２】
（実施の形態１）
以下、本発明の実施の形態１について図面を参照しながら詳細に説明する。なお、図中同一または相当部分には同一符号を付す。
【００１３】
図１は、本発明の実施の形態１にかかる梱包ケース１を示す斜視図である。
【００１４】
梱包ケース１は、直管型蛍光灯等の長尺物を梱包するために使用される。梱包ケース１は、段ボール板紙から組み立てられる箱体２からなる。箱体２には、長尺物を外部から視認するための開口３（ハッチング範囲）が設けられる。箱体２は、底壁４と、底壁４に相対向する第１，２頂壁９，１０と、底壁４の周縁から第１，２頂壁９，１０の周縁に達する周壁６０とを備える。
【００１５】
底壁４は、長方形状を呈する。以下、底壁４の長手方向を「長手方向」と記し、長手方向と直交する方向を「幅方向」と記す。また長手方向の一方側を「一方側」と記し、長手方向の他方側を「他方側」と記す。
【００１６】
周壁６０は、底壁４の長辺４０から立設されて、相対向する一対の第１，２側壁５，６と、底壁４の短辺４１から立設されて、相対向する一対の第３，４側壁７，８とから構成される。周壁６０は、第１〜４側壁５〜８の隣り合う壁が連なることで、筒状を呈する  
【００１７】
第１頂壁９は、第１，２側壁５，６の上端辺４２，４３における一方側部分４２ａ，４３ａと、第３側壁７の上端辺４４とに連設されて、底壁４の一方側範囲に相対向する。第２頂壁１０は、第１，２側壁５，６の上端辺４２，４３における他方側部分４２ｂ，４３ｂと、第４側壁８の上端辺４５とに連設されて、底壁４の他方側範囲に相対向する。
【００１８】
開口３は、外縁の第１〜４辺が、第１，２側壁５，６の端と、第１，２頂壁９，１０の端とにより構成される。
【００１９】
すなわち、第１辺は、第１側壁５の上端辺４２における一方側部分４２ａと他方側部分４２ｂとの間の中間部分４２ｃにより構成される。第２辺は、第２側壁６の上端辺４３における一方側部分４３ａと他方側部分４３ｂとの間の中間部分４３ｃにより構成される。第３辺は、上端辺４２，４３の中間部分４２ｃ，４３ｃ（第１，２辺）の一方端同士の間を延びる第１頂壁９の端辺４６により構成される。第４辺は、上端辺４２，４３の中間部分４２ｃ，４３ｃ（第１，２辺）の他方端同士の間を延びる第２頂壁１０の端辺４７により構成される。
【００２０】
第１側壁５の内面には、第１辺（上端辺４２の中間部分４２ｃ）に沿う範囲において、第１重合片１１が接着される。この接着により、第１側壁５の第１辺に沿う範囲では、第１側壁５を構成する段ボール板紙と、第１重合片１１を構成する段ボール板紙とが、重ね合わされた状態にある。
【００２１】
第２側壁６の内面には、第２辺（上端辺４３の中間部分４３ｃ）に沿う範囲において、第２重合片１２が接着される。この接着により、第２側壁６の第２辺に沿う範囲では、第２側壁６を構成する段ボール板紙と、第２重合片１２を構成する段ボール板紙とが、重ね合わされた状態にある。
【００２２】
図２は、実施の形態１の梱包ケース１を構成する段ボール板紙８０の展開図である。
【００２３】
段ボール板紙８０では、底壁４と、第１側壁５と、第１，２頂壁９，１０・第１，２重合片１１，１２を構成する部分と、第２側壁６と、糊代片１３とが、折目線１４，１５，１６，１７を介して順次連設される。
【００２４】
折目線１４は、底壁４の一方の長辺４０を構成する線である。
【００２５】
折目線１７は、底壁４に接着される糊代方１３を、折り曲げるために設けられる。糊代方１３が底壁４に接着された状態では、折目線１７は、底壁４の他方の長辺４０になる端線９０に重ね合わされる。  
【００２６】
折目線１５は、折目線１５ａ，１５ｂ，１５ｃが長手方向に順次連続する線であり、折目線１５ａ，１５ｂ，１５ｃにより、上端辺４２の一方側部分４２ａ・中間部分４２ｃ・他方側部分４２ｂが構成される。
【００２７】
折目線１６は、折目線１６ａ，１６ｂ，１６ｃが長手方向に順次連続する線であり、折目線１６ａ，１６ｂ，１６ｃにより、上端辺４３の一方側部分４３ａ・中間部分４３ｃ・他方側部分４３ｂが構成される。
【００２８】
また段ボール板紙８０には、梱包ケース１を組み立てる際、切れ込みを入れる切断誘導線１８，１９，２０が形成される。
【００２９】
切断誘導線１８は、段ボール板紙８０の一方側で幅方向に延びて、折目線１５ａ，１５ｂの境界位置と、折目線１６ａ，１６ｂの境界位置とを繋ぐ。この切断誘導線１８により、第１頂壁９と、第１，２重合片１１，１２を構成する部分とは、区分される。
【００３０】
切断誘導線１９は、段ボール板紙８０の他方側で幅方向に延びて、折目線１５ｂ，１５ｃの境界位置と、折目線１６ｂ，１６ｃの境界位置とを繋ぐ。この切断誘導線１９により、第２頂壁１０と、第１，２重合片１１，１２を構成する部分とは、区分される。
【００３１】
切断誘導線２０は、長手方向に延びて、切断誘導線１８の中央位置と、切断誘導線１９の中央位置とを繋ぐ。この切断誘導線２０により、第１重合片１１と第２重合片１２とは、区分される。
【００３２】
また、段ボール板紙８０の一方側端部には、第３側壁７を構成する第１〜４フラップ２１，２２，２３，２４が設けられる。第１〜４フラップ２１，２２，２３，２４は、それぞれ折目線２５，２６，２７，２８を介して、底壁４、第１側壁５、第１頂壁９、第２側壁６に連設される。また、第３フラップ２３には、折目線２９を介して、差込片３８が連設される。
【００３３】
段ボール板紙８０の他方側端部には、第４側壁８を構成する第５〜８フラップ３０，３１，３２，３３が設けられる。第５〜８フラップ３０，３１，３２，３３は、それぞれ折目線３４，３５，３６，３７を介して、底壁４、第１側壁５、第２頂壁１０、第２側壁６に連設される。
【００３４】
図３は、実施の形態１の梱包ケース１を組み立てる手順を示す平面図である。図４は、実施の形態１の梱包ケース１を組み立てる手順を示す断面図である。図４（ａ）〜（ｄ）は、図３（ａ）〜（ｅ）のＡ−Ａ線断面図である。以下、図３，４を用いて、梱包ケース１を組み立てる手順について説明する。
【００３５】
まず、第１重合片１１と第２重合片１２とを切断誘導線２０に沿って切り離す（図３（ａ），図４（ａ））。また、第１頂壁９と第１，２重合片１１，１２とを切断誘導線１８に沿って切り離す。また、第２頂壁１０と第１，２重合片１１，１２とを切断誘導線１９に沿って切り離す。
【００３６】
ついで、第１，２重合片１１，１２を、折目線１５ｂ，１６ｂに沿って１８０度折り曲げる（図３（ａ）〜（ｃ），図４（ａ）〜（ｃ））。この折り曲げにより、第１，２側壁５，６及び第１，２頂壁９，１０の端を第１〜４辺とする開口３が形成される（図３（ｃ），図４（ｃ））。
【００３７】
ついで、第１，２重合片１１，１２を、第１，２側壁５，６に接着する（図３（ｃ），図４（ｃ））。この接着により、第１，２側壁５，６は、開口３の第１，２辺に沿う範囲で、段ボール板紙が２層重ね合わされた状態になる。
【００３８】
ついで、第１側壁５と底壁４とを、折目線１５に沿って直角に折り曲げ、第２側壁６と糊代片１３とを合わせた部分を、折目線１６に沿って直角に折り曲げる（図３（ｃ）→（ｄ），図４（ｃ）→（ｄ））。  
【００３９】
ついで、糊代片１３を折目線１７に沿って直角に折り曲げる（図４（ｄ）→（ｅ））。また、底壁４を折目線１４に沿って直角に折り曲げて、折目線１７が端辺９０に重なるように、糊代片１３を底壁４の内面に接着する。
【００４０】
次に、第３側壁７を形成する作業を行う（図３（ｄ）→（ｅ））。この作業では、まず、第２フラップ２２を、折目線２６に沿って直角に折り曲げ、第４フラップ２４を、折目線２８に沿って直角に折り曲げる。ついで、第３フラップ２３を折目線２７に沿って直角に折り曲げる。この際には、差込片３８を、折目線２９に沿って折り曲げて、第２，４フラップ２２，２４と底壁４との間に差し込む。ついで、第１フラップ２１を、折目線２５に沿って直角に折り曲げて、先に折り曲げた第３フラップ２３に接着する。以上の作業により、第３側壁７が形成される。
【００４１】
次に、第４側壁８を形成する作業を行う（図３（ｄ）→（ｅ））。この作業では、まず、第７フラップ３２を、折目線３６に沿って直角に折り曲げる。ついで、第６，８フラップ３１，３３を、それぞれ折目線３５，３７に沿って直角に折り曲げる。ついで、第５フラップ３０を、折目線３４に沿って直角に折り曲げて、先に折り曲げた第６〜８フラップ３１〜３３に接着する。以上の作業により、第４側壁８が形成されて、梱包ケース１の組み立てが完了する。
【００４２】
図５は、折目線１５ｂが形成された部分を示す断面図である。図５（ａ）は、図４（ａ）のＢ範囲を拡大して示す。図５（ｂ）は、図４（ｃ）のＣ範囲を拡大して示す。
【００４３】
梱包ケース１を組み立てる際には、予め、段ボール板紙８０の一方の表面に、凹み３８が折目線１５ｂ，１６ｂに沿って形成される（図４（ａ），図５（ａ））。凹み３８は、例えば、押付具３９を折目線１５ｂ，１６ｂに押し付けることで形成される。開口３を形成する手順（図３（ａ）→（ｃ），図４（ａ）→（ｃ））では、凹み３８が形成された表面が外側（外面）になるように、第１，２重合片１１，１２が折り曲げられる。これにより、開口３の第１，２辺は、第１，２側壁５，６の面に垂直な断面が、略円弧状を呈するようになる（図４（ｃ），図５（ｂ））。
【００４４】
また図２に示すように、第５〜８フラップ３０，３１，３２，３３には、内側に凹む切欠３０ａ，３１ａ，３２ａ，３３ａが形成される。この切欠３０ａ，３１ａ，３２ａ，３３ａにより、第４側壁８を開封する際に、第５〜８フラップ３０，３１，３２，３３を、指で摘んで引き剥がすことが容易になる。
【００４５】
本実施の形態によれば、図１に示すように、相対向する第１，２側壁５，６の端辺４２ｃ，４３ｃと、第１，２頂壁９,１０の端辺４６，４７とによって、開口３の外縁（第１〜４辺）が形成される。このため、箱体２の頂面では、幅方向（第１，２側壁５，６が相対向する方向）において、開口３の外側に段ボール板紙が存在しない。このため、箱体２の幅が狭い場合でも、開口寸法を大きく確保できる。また、第１，２側壁５，６の第１，２辺に沿う範囲に段ボール板紙が複数重ね合わされることで、第１，２側壁５，６の剛性が高められる。このため、第１，２側壁５，６が上下方向に延びるように梱包ケース１が設置された場合、梱包ケース１は、載荷重に対する強度が大きい。
【００４６】
また、第１，２重合片１１，１２が第１，２側壁５，６に接着されるため、長尺物を箱体２に梱包する際に、第１，２重合片１１，１２が邪魔にならない。このため、高い作業効率で、長尺物を梱包できる。
【００４７】
また、図４（ｃ），図５（ｂ）に示すように、第１，２辺（上端辺４２，４３の中間部分４２ｃ，４３ｃ）の断面が、角の無い滑らかな略円弧状を呈するため、第１，２辺への接触により、手を切ることがない。
【００４８】
また、段ボール板紙は、ＰＥＴに比して、大きな強度を有し、変形を生じにくい。これにより、段ボール板紙からなる箱体２は、壁面と内容物（長尺物）との間の隙間を大きく確保する必要がないため、梱包ケース１（箱体２）の容積は小さく抑えられる。よって、長尺物の梱包に梱包ケース１を用いることで、車両に積載できる長尺物の数が多くなるため、少ない輸送頻度で多くの長尺物を輸送でき、ＣＯ２の排出量や輸送コストが低減される。
【００４９】
また、箱体２は、段ボール板紙から形成されることで、ＰＥＴケースのように固定用の淵を設けることなく、ホッチキス等により土台の厚紙に固定できる。この点からも、梱包ケース１（箱体２）の容積は小さく抑えられる。
【００５０】
また、梱包ケース１（箱体２）が段ボール板紙から構成されることで、梱包ケース１を焼却処分しても、公害成分を放出しない。
【００５１】
また、開口３の外側に第１，２頂壁９，１０が設けられることで、長尺物を箱体２に収容した状態は、安定して維持される。
【００５２】
なお、箱体２を形成する段ボール板紙は、最表層が白色の白ライナを外側に備えた段ボール板紙を使用することが好ましい。このようにすることで、箱体２は見栄えに優れ、長尺物の商品価値を高めることができる。
【００５３】
なお、長尺物を運搬・保管する際には、第１，２重合片１１，１２・第１，２頂壁９，１０が切断誘導線１８，１９，２０に接続されたままの状態で、箱体２は組み立てられ得る。この場合、箱体２に開口３が形成されないことで、長尺物が外部に露出せず、また箱体２の変形が抑制されるため、長尺物に損傷が生じることを防止できる。また、この後、長尺物を展示する際には、第１，２重合片１１，１２を、第１，２頂壁９，１０から切り離して、折り曲げることで、開口３を形成する。なお、箱体２の壁面と長尺物との間に隙間を設けることで、長尺物を収容した状態で、第１，２重合片１１，１２の折り曲げが可能となり、開口３を形成できる。
【００５４】
（実施の形態２）
図６は、本発明の実施の形態２にかかる梱包ケース４８を示す斜視図である。実施の形態２の梱包ケース４８は、実施の形態１の箱体２に、吊り下げ板４９を一体に設けたものである。吊り下げ板４９は、底壁４の一方の短辺４１から、箱体２の外側に延びる。
【００５５】
図７は、実施の形態２の梱包ケース４８を構成する段ボール板紙８１の展開図である。段ボール板紙８１の一方側には、吊り下げ板４９を構成する第９，１０フラップ５０，５１が設けられる。第９フラップ５０は、第１フラップ２１の端辺５２に連設される。第１０フラップ５１は、第９フラップ５０における一方側端部に、折目線５３を介して連設される。第９，１０フラップ５０，５１は、貫通孔５０ａ，５１ｂを有する。貫通孔５０ａ，５１ｂは、折目線５３を中心として対称な位置に形成される。
【００５６】
梱包ケース４８を組み立てる際には、まず、図３（ａ）〜（ｅ）と同様の手順により、箱体２を組み立てる。そして、この後、第１０フラップ５１を、折目線５３に沿って１８０度折り曲げ、第９フラップ５０に接着することで、吊り下げ板４９を形成する。以上で、梱包ケース４８の組み立てが完了する。なお、第９，１０フラップ５０，５１の接着が行われた後では、貫通孔５０ａ，５１ｂは、前後に連なる。
【００５７】
本実施の形態によれば、吊り下げ板４９の貫通孔５０ａ，５１ｂに什器のピンを挿通することで、梱包ケース４８を什器に吊り下げることができる。これにより、小さい面積のスペースでも、多くの長尺物を展示することができる。
【００５８】
なお、吊り下げ板４９を設ける位置は、底壁４の短辺４１に限らない。例えば、吊り下げ板４９は、第３，４側壁７，８の上端辺４４，４５や、底壁４の長辺４０や、第１〜４側壁５〜８における中央高さ位置に設けられてもよい。
【００５９】
（実施の形態３）
図８は、本発明の実施の形態３にかかる梱包ケース５４を示す斜視図である。梱包ケース５４は、第１，２側壁５,６の内面に加えて、第１，２頂壁９,１０の内面にも、重合片が接着された箱体７０からなる。すなわち、箱体７０では、第１側壁５の内面の第１辺（上端辺４２ｃ）に沿う範囲に、第３重合片５６が接着される。また、第２側壁６の内面には、第２辺（上端辺４３ｃ）に沿う範囲に、第４重合片５７が接着される。また、第１頂壁９の内面には、第３辺（上端辺４６）に沿う範囲に、第５重合片５８が接着される。また、第２頂壁１０の内面には、第４辺（上端辺４７）に沿う範囲に、第６重合片５９が接着される。以上の第３〜６重合片５６〜５９の接着により、箱体７０は、開口３の第１〜４辺に沿う範囲に、段ボール板紙が２層重ね合わされた状態にある。
【００６０】
図９は、実施の形態３の梱包ケース５４を構成する段ボール板紙８２の展開図である。図９の段ボール板紙８２は、図２の段ボール板紙８０から、開口３を構成する範囲（折目線１５ｂ，１６ｂの間の範囲）の形状を変更したものである。この範囲では、第３〜６重合片５６〜５９が、切断誘導線６１〜６３により区分される。
【００６１】
切断誘導線６１は、他方側に凸の略コの字状に屈曲して、幅方向に延び、折目線１５ａ，１５ｂの境界位置と折目線１５ａ，１５ｂの境界位置とを繋ぐ。この切断誘導線６１により、第５重合片５８と、第３，４重合片５６，５７を構成する部分とが、区分される。
【００６２】
切断誘導線６２は、一方側に凸の略コの字状に屈曲して、幅方向に延び、折目線１５ａ，１５ｂの境界位置と折目線１５ａ，１５ｂの境界位置とを繋ぐ。この切断誘導線６２により、第６重合片５９と、第３，４重合片５６，５７を構成する部分とが、区分される。
【００６３】
切断誘導線６３は、長手方向に延びて、切断誘導線６１,６２の中央位置を繋ぐ。この切断誘導線６３により、第３重合片５６と第４重合片５７とは、区分される。
【００６４】
そして、第３重合片５６は、折目線１５ｂを介して第１側壁５に連設され、第４重合片５７は、折目線１６ｂを介して第２側壁６に連設される。
【００６５】
第５重合片５８は、折目線９１を介して第１頂壁９に連設される。折目線９１は、折目線１５ａ，１５ｂの境界位置と、折目線１６ａ，１６ｂの境界位置とを結ぶ幅方向の直線上を延びて、両端が切断誘導線６１の途中位置に連なる。
【００６６】
第６重合片５９は、折目線９２を介して第１０頂壁１０に連設される。折目線９２は、折目線１５ｂ，１５ｃの境界位置と、折目線１６ｂ，１６ｃの境界位置とを結ぶ幅方向の直線上を延びて、両端が切断誘導線６２の途中位置に連なる。
【００６７】
図１０は、実施の形態３の梱包ケース５４を組み立てる手順を示す平面図である。以下、図１０を用いて、梱包ケース５４を組み立てる手順について説明する。
【００６８】
まず、第３〜６重合片５６〜５９を、切断誘導線６１〜６３に沿って切り離す（図１０（ａ））。
【００６９】
ついで、第３〜６重合片５６〜５９を、それぞれ折目線１５ｂ，１６ｂ，９１，９２に沿って１８０度折り曲げる（図１０（ａ）〜（ｃ））。この折り曲げにより、開口３が形成される。
【００７０】
ついで、第３〜６重合片５６〜５９を、それぞれ、第１側壁５、第２側壁６、第１頂壁９、第２頂壁１０に接着する（図１０（ｃ））。
【００７１】
ついで、図３（ｃ）→（ｄ）と同様、第１側壁５・底壁４を折目線１５に沿って折り曲げ、第２側壁６・糊代片１３を折目線１６に沿って折り曲げる（図１０（ｃ）→（ｄ））。
【００７２】
ついで、図３（ｄ）→（ｅ）と同様、第３，４側壁７，８を形成する（図１０（ｄ）→（ｅ））。以上で梱包ケース５４の組み立ては完了する。
【００７３】
なお本実施の形態では、予め、段ボール板紙８２の一方の表面に、凹み３８（図５（ａ））が、折目線１５ｂ，１６ｂ，９１，９２に沿って形成される。開口３を形成する手順（図１０（ａ）→（ｃ））では、凹み３８が形成された表面が外側（外面）になるように、第３〜６重合片５６〜５９が折り曲げられる。これにより、開口３の第１，２辺は、第１，２側壁５，６の面に垂直な断面が、略円弧状を呈し、開口３の第３，４辺は、第１，２頂壁９，１０の面に垂直な断面が、略円弧状を呈するようになる。
【００７４】
本実施の形態では、箱体７０は、開口３の第１〜４辺に沿う範囲で、段ボール板紙が複数重ね合わされるため、より載荷重に対する強度が大きくなる。
【００７５】
また、第３〜６重合片５６〜５９が、第１，２側壁５，６及び第１，２頂壁９，１０に接着されることで、内容物を箱体２に梱包する際に、第３〜６重合片５６〜５９が邪魔にならない。このため、高い作業効率で、長尺物を梱包できる。
【００７６】
また、開口３の第１〜４辺の断面が、角の無い滑らかな略円弧状を呈するため、開口３外縁のいずれの部位に触れても、手を切ることがない。
【００７７】
本発明は、上述の実施の形態に限定されず、特許請求の範囲において種々改変することができる。
【００７８】
図１１，１２は、本発明の変形例を示す斜視図である。以下、図１１，１２を用いて、実施の形態１の変形例について説明する。なお、下記変更内容は、実施の形態２，３にも同様に適用可能である。
【００７９】
例えば、第１，２重合片１１，１２は、箱体２と別個に設けられてもよい（（図１１（ａ））。この場合、箱体２の組み立て後において、第１，２重合片１１，１２を構成する段ボール板紙が、第１，２側壁５，６に接着される。
【００８０】
また、第１，２重合片１１，１２を構成する段ボール板紙の枚数、すなわち第１，２側壁５，６に接着する段ボール板紙の枚数は、複数であってもよい。
【００８１】
また、第１，２重合片１１，１２は、底壁４に接する位置まで、下方へ延びていてもよい（図１１（ｂ））。また、第１，２重合片１１，１２は、開口３の縁に沿う範囲だけでなく、この外側範囲にも設けられてもよい（図１１（ｃ））。このようにすることで、箱体２の強度は、より一層大きくなる。
【００８２】
また、開口３は、箱体２の側面と頂面とに跨るように形成されてもよい（図１２（ａ））。このようにすることで、長尺物が視認できる範囲は、より一層大きくなる。
【００８３】
また、箱体２は、第３，４側壁７，８が省略されて、一方側・他方側の端部が開口するものであってもよい（図１２（ｂ））。このようにすることで、長尺物の出し入れが容易になる。
【００８４】
また、本発明は、長尺物を梱包するケースだけではなく、食品や化粧品等などを梱包するケースとしても適用できる。この場合、箱体２は、例えば、底壁４が正方形を呈する立方体形状に形成される（図１２（ｃ））。
【００８５】
上記の実施形態の一部又は全部は、以下の付記のようにも記載されうるが、以下には限られない。
【００８６】
（付記１）
段ボール板紙から形成される、底壁と、該底壁に対向する頂壁と、前記底壁の周縁から前記頂壁の周縁に達する側壁とを備え、
前記側壁のうち相対向する一対の側壁の端、及び前記頂壁の端を外縁とする開口が形成され、
前記一対の側壁は、前記開口の外縁に沿う範囲において、前記段ボール板紙が複数重ね合わされる、
ことを特徴とする梱包ケース。
【００８７】
（付記２）
前記底壁は、長方形を呈し、
前記一対の側壁は、前記底壁の長辺から立設される第１，２側壁であることを特徴とする付記１に記載の梱包ケース。
【００８８】
（付記３）
前記頂壁は、前記第１，２側壁の上端辺における一方側部分に連設されて、前記底壁の一方側範囲と相対向する第１頂壁と、前記第１，２側壁の上端辺における他方側部分に連設されて、前記底壁の他方側範囲と相対向する第２頂壁と、から構成され、
前記開口の外縁は、前記第１側壁の上端辺における前記一方側部分と前記他方側部分との間の中間部分により構成される第１辺と、前記第２側壁の上端辺における前記一方側部分と前記他方側部分との間の中間部分により構成される第２辺と、前記第１，２側壁の上端辺における中間部分の一方端同士の間を延びる前記第１頂壁の端辺より構成される第３辺と、前記第１，２側壁の上端辺における中間部分の他方端同士の間を延びる前記第２頂壁の端辺により構成される第４辺と、から構成され、
前記第１，２側壁は、それぞれ前記第１，２辺に沿う範囲において、前記段ボール板紙が複数重ね合わされることを特徴とする付記２に記載の梱包ケース。
【００８９】
（付記４）
前記第１，２側壁における前記上端辺の中間部分には、それぞれ第１，２重合片が連設され、
前記第１重合片が、前記第１側壁における前記上端辺の中間部分を折目として折り曲げられ、且つ、前記第２重合片が、前記第２側壁における前記上端辺の中間部分を折目として折り曲げられることで、前記開口が形成され、
前記折り曲げられた第１，２重合片が、それぞれ前記第１，２側壁に接着されることで、前記第１，２側壁は、前記第１，２辺に沿う範囲において、前記段ボール板紙が２層重ね合わされることを特徴とする付記３に記載の梱包ケース。
【００９０】
（付記５）
前記一対の側壁に構成される前記開口の外縁は、前記一対の側壁の面に垂直な断面が略円弧状を呈することを特徴とする付記１乃至４のいずれか１つに記載の梱包ケース。
【００９１】
（付記６）
段ボール板紙から構成されて、前記箱体と一体に設けられて、前記箱体の外側に延びる吊り下げ板をさらに有することを特徴とする付記１乃至５のいずれか１つに記載の梱包ケース。
【００９２】
（付記７）
前記頂壁は、前記開口の外縁に沿う範囲において、前記段ボール板紙が複数重ね合わされることを特徴とする付記１乃至６のいずれか１つに記載の梱包ケース。
【符号の説明】
【００９３】
１，４８，５４  梱包ケース
２，７０  箱体
３  開口
４  底壁
５  第１側壁
６  第２側壁
７  第３側壁
８  第４側壁
９  第１頂壁
１０  第２頂壁
１１  第１重合片
１２  第２重合片
１３  糊代片
１４，１５，１５ａ，１５ｂ，１５ｃ，１６，１６ａ，１６ｂ，１６ｃ，１７，２５，
２６，２７，２８，２９，３４，３５，３６，３７，５３，９１，９２  折目線
１８，１９，２０，６１，６２，６３  切断誘導線
２１  第１フラップ
２２  第２フラップ
２３  第３フラップ
２４  第４フラップ
３０  第５フラップ
３１  第６フラップ
３２  第７フラップ
３３  第８フラップ
３０ａ，３１ａ，３２ａ，３３ａ  切欠
３８  差込片
３９  押付具
４０  底壁の長辺
４１  底壁の短辺
４２，４３，４４，４５  側壁の上端辺
４２ａ，４３ａ  上端辺の一方側部分
４２ｂ，４３ｂ  上端辺の他方側部分
４２ｃ，４３ｃ  上端辺の中間部分
４６，４７  頂壁の端辺
４９  吊り下げ板
５０  第９フラップ
５０ａ，５１ａ  貫通孔
５１  第１０フラップ
５２  端辺
５６  第３重合片
５７  第４重合片
５８  第５重合片
５９  第６重合片
６０  周壁
８０，８１，８２  段ボール板紙
【図１】
2011251738.tif 000003
【図２】
2011251738.tif 000004
【図３】
2011251738.tif 000005
【図４】
2011251738.tif 000006
【図５】
2011251738.tif 000007
【図６】
2011251738.tif 000008
【図７】
2011251738.tif 000009
【図８】
2011251738.tif 000010
【図９】
2011251738.tif 000011
【図１０】
2011251738.tif 000012
【図１１】
2011251738.tif 000013
【図１２】
2011251738.tif 000014